(57)【要約】【課題】居室内での資産の移動にも対応でき、現場にて資産情報の更新などを簡易かつタイムリーに実施できる、無線タグを用いた資産管理システムを提供する。【解決手段】ホストは、資産タグＩＤに対応づけて資産情報を記憶する資産管理テーブルと、コマンドタグＩＤに対応づけて管理処理情報を記憶するコマンドテーブルと、無線タグリーダからコマンドタグＩＤを受信した場合にコマンドテーブルを参照して、資産管理テーブルの資産情報に関して前記受信したコマンドタグＩＤに対応する管理処理を実行する手段とを備える。無線タグリーダは、探索対象の資産タグＩＤを記憶する手段と、無線タグから読み取ったＩＤが探索対象の資産タグＩＤであった場合に、電波強度に基づいて探索対象の位置を推測する手段と、無線タグから読み取ったＩＤがコマンドタグＩＤであった場合に、該コマンドタグＩＤをホストに送信する手段とを備える。【選択図】図５
2007219979.tif 000002
【特許請求の範囲】
【請求項１】
ホスト装置と、該ホスト装置と通信ネットワークを介して通信可能に構成された携帯型無線タグリーダとを備えた資産管理システムであって、
前記ホスト装置は、
資産管理用の無線タグ（以下、「資産タグ」という）の識別情報に対応づけて、該資産タグが付された資産の管理情報を記憶する資産管理テーブルと、
コマンド入力用の無線タグ（以下、「コマンドタグ」という）の識別情報に対応づけて、所定の資産管理処理の実行に必要な情報を記憶するコマンドテーブルと、
探索モード中の前記携帯型無線タグリーダからコマンドタグの識別情報を受信した場合に、前記コマンドテーブルを参照して、前記資産管理テーブルに記憶される前記探索対象資産の資産管理情報に関連した前記受信したコマンドタグの識別情報に対応する資産管理処理を実行するコマンド実行手段と、を備え、
前記携帯型無線タグリーダは、
探索対象資産に付された資産タグの識別情報を記憶する探索対象記憶手段と、
探索モード中、無線タグから無線通信により読み取った識別情報が前記探索対象記憶手段に記憶する資産タグの識別情報であった場合に、前記無線通信の電波強度に基づいて探索対象資産の位置を推測する推測手段と、
コマンド入力モード中、無線タグから無線通信により読み取った識別情報がコマンドタグの識別情報であった場合に、前記読み取ったコマンドタグの識別情報を前記ホスト装置に送信するコマンド送信手段と、を備えることを特徴とする資産管理システム。
【請求項２】
前記ホスト装置は、探索対象資産の資産タグの識別情報に対応づけて、該探索対象資産の探索に使用する携帯型無線タグリーダの識別情報を記憶する無線タグリーダ対応テーブルを備え、
前記ホスト装置のコマンド実行手段は、探索モード中の前記携帯型無線タグリーダからコマンドタグの識別情報を受信した場合に、前記無線タグリーダ対応テーブルを参照して、前記受信したコマンドタグの識別情報を送信した携帯型無線タグリーダに対応する探索対象資産の資産タグの識別情報を抽出し、該抽出した資産タグの識別情報に基づいて、資産管理処理の対象となる前記資産管理テーブルの資産管理情報を特定することを特徴とする請求項１記載の資産管理システム。
【請求項３】
前記携帯型無線タグリーダのコマンド送信手段は、
探索モード中、無線タグから無線通信により読み取った識別情報がコマンドタグの識別情報であった場合に、前記読み取ったコマンドタグの識別情報及び前記探索対象記憶手段に記憶する資産タグの識別情報を対応づけて前記ホスト装置に送信し、
前記ホスト装置のコマンド実行手段は、
資産探索実行中の前記携帯型無線タグリーダからコマンドタグの識別情報及び対応する資産タグの識別情報を受信した場合に、前記受信した対応する資産タグの識別情報に基づいて、資産管理処理の対象となる前記資産管理テーブルの資産管理情報を特定することを特徴とする請求項１記載の資産管理システム。
【請求項４】
前記コマンドテーブルには、前記資産管理テーブルに記憶する資産管理情報を更新する処理、前記資産管理テーブルに記憶する資産管理情報を前記携帯型無線タグリーダに送信する処理、探索対象資産に対して制御コマンドを送信する処理のうち、少なくともいずれかの資産管理処理の実行に必要な情報が記憶されていることを特徴とする請求項１乃至３のいずれか１項に記載の資産管理システム。
【請求項５】
前記携帯型無線タグリーダは、前記ホスト装置から探索対象資産に関する資産管理情報を受信した場合に、該資産管理情報をユーザに提示する手段を備えることを特徴とする請求項１乃至４のいずれか１項の記載の資産管理システム。
【請求項６】
前記出力する資産管理情報には、探索対象資産の設置場所情報、リース期間情報のうち少なくともいずれかが含まれることを特徴とする請求項５記載の資産管理システム。
【請求項７】
ホスト装置と、該ホスト装置と通信ネットワークを介して通信可能に構成された携帯型無線タグリーダとを用いた資産管理方法であって、
前記携帯型無線タグリーダが、前記ホスト装置から受信した、探索対象資産に付された資産管理用の無線タグ（以下、「資産タグ」という）の識別情報を、探索対象記憶手段に記憶する工程と、
前記携帯型無線タグリーダが、探索モード中、無線タグから無線通信により読み取った識別情報が前記探索対象記憶手段に記憶する資産タグの識別情報であった場合に、前記無線通信の電波強度に基づいて探索対象資産の位置を推測する工程と、
前記携帯型無線タグリーダが、コマンド入力モード中、無線タグから無線通信により読み取った識別情報がコマンド入力用の無線タグ（以下、「コマンドタグ」という）の識別情報であった場合に、前記読み取ったコマンドタグの識別情報を前記ホスト装置に送信する送信工程と、
前記ホスト装置が、探索モード中の前記携帯型無線タグリーダからコマンドタグの識別情報を受信した場合に、資産タグの識別情報に対応づけて該資産タグが付された資産の管理情報を記憶する資産管理テーブルを参照し、前記資産管理テーブルに記憶される前記探索対象資産の資産管理情報を特定する工程と、
前記ホスト装置が、コマンドタグの識別情報に対応づけて所定の資産管理処理の実行に必要な情報を記憶するコマンドテーブルを参照し、前記特定した資産管理情報に関連した前記受信したコマンドタグの識別情報に対応する資産管理処理を実行する工程と、を備えることを特徴とする資産管理方法。
【請求項８】
請求項７記載の資産管理方法をコンピュータで実行させるための情報処理プログラム。
【発明の詳細な説明】
【技術分野】
【０００１】
本発明は、無線タグを用いて資産管理を行う技術に関する。
【背景技術】
【０００２】
近年、無線タグを利用した様々なサービスやシステムが普及しつつある。無線タグ（ＲＦＩＤ（Radio Frequency IDentification）タグ、ＩＣタグとも呼ばれる）は、その内部メモリに識別情報などのタグ情報を記録しており、無線タグリーダとの間で電波を使って無線通信を行い、タグ情報を送受信する機能を有している。
【０００３】
このような無線タグの利用法の一つとして、パソコンやプリンタ等の資産に無線タグを付して、資産情報（資産名、管理番号、機種名、設置場所、設置開始年月日、リース／レンタル／買取種別、管理ステータス等）の管理を行う方法が知られている。
【０００４】
例えば、特許文献１に開示される方法では、無線タグが付された資産が出入り口などに設けられた無線タグリーダの近傍を通過する際に、その無線タグからタグ情報を読み取って、通過位置・日時情報を付加して管理サーバにて管理し、この情報により管理サーバ上で資産の移動や実際の設置位置を把握しようとする。
【特許文献１】特開２００４−２９５４０６号公報
【発明の開示】
【発明が解決しようとする課題】
【０００５】
しかし、特許文献１に記載の方法では、出入り口などの特定の固定箇所に無線タグリーダを設けることを想定しているため、例えば居室内で資産を移動した場合など、無線タグリーダの設置箇所から離れた位置で資産が移動された場合には、その移動を把握することはできない。特に、パーソナルコンピュータやプリンタなどは、業務状況に応じて居室や実験室内を移動させて使用する場合も多く、従来の方法ではこのような場合に十分に対応することは難しかった。
【０００６】
また、資産の棚卸などを行う際には、管理担当者が、現場で資産を確認した上で、資産の状況に応じて資産情報の更新などを行うことになるが、従来、そのような作業は、現場でノートに必要事項を書きとめておいて後から管理サーバに入力したり、現場に持参したパソコン等からその場で管理サーバにアクセスして行うのが一般的であった。
【０００７】
しかし、前者の方法では、現場の状況に応じてタイムリーな入力作業を行うことは難しいという問題がある。また、後者の方法では、資産設置場所までパソコン等を運び込まなければならない点でまず不便である上に、キーボード等の汎用的なインタフェースを介しての入力作業は誤操作のリスクも高かった。更に、資産設置場所が不明な場合、資産の探索を行いつつ資産情報の更新作業を行う必要があるが、パソコン等を運びながらそのような探索及び更新作業を行うことは大きな負担であった。
【０００８】
そこで、本発明は、無線タグを利用して資産管理を行う場合に、居室内での資産の移動にも対応でき、更に、現場にて資産情報の更新などを簡易かつタイムリーに実施できる新しい枠組みを提供することを目的とする。
【課題を解決するための手段】
【０００９】
本発明の資産管理システムは、ホスト装置と、該ホスト装置と通信ネットワークを介して通信可能に構成された携帯型無線タグリーダとを備えた資産管理システムであって、前記ホスト装置は、資産管理用の無線タグ（以下、「資産タグ」という）の識別情報に対応づけて、該資産タグが付された資産の管理情報を記憶する資産管理テーブルと、コマンド入力用の無線タグ（以下、「コマンドタグ」という）の識別情報に対応づけて、所定の資産管理処理の実行に必要な情報を記憶するコマンドテーブルと、探索モード中の前記携帯型無線タグリーダからコマンドタグの識別情報を受信した場合に、前記コマンドテーブルを参照して、前記資産管理テーブルに記憶される前記探索対象資産の資産管理情報に関連した前記受信したコマンドタグの識別情報に対応する資産管理処理を実行するコマンド実行手段と、を備え、前記携帯型無線タグリーダは、探索対象資産に付された資産タグの識別情報を記憶する探索対象記憶手段と、探索モード中、無線タグから無線通信により読み取った識別情報が前記探索対象記憶手段に記憶する資産タグの識別情報であった場合に、前記無線通信の電波強度に基づいて探索対象資産の位置を推測する推測手段と、コマンド入力モード中、無線タグから無線通信により読み取った識別情報がコマンドタグの識別情報であった場合に、前記読み取ったコマンドタグの識別情報を前記ホスト装置に送信するコマンド送信手段と、を備えることを特徴とする。
【００１０】
好適には、前記ホスト装置は、探索対象資産の資産タグの識別情報に対応づけて、該探索対象資産の探索に使用する携帯型無線タグリーダの識別情報を記憶する無線タグリーダ対応テーブルを備え、前記ホスト装置のコマンド実行手段は、探索モード中の前記携帯型無線タグリーダからコマンドタグの識別情報を受信した場合に、前記無線タグリーダ対応テーブルを参照して、前記受信したコマンドタグの識別情報を送信した携帯型無線タグリーダに対応する探索対象資産の資産タグの識別情報を抽出し、該抽出した資産タグの識別情報に基づいて、資産管理処理の対象となる前記資産管理テーブルの資産管理情報を特定することを特徴とする。
【００１１】
又は、前記携帯型無線タグリーダのコマンド送信手段は、探索モード中、無線タグから無線通信により読み取った識別情報がコマンドタグの識別情報であった場合に、前記読み取ったコマンドタグの識別情報及び前記探索対象記憶手段に記憶する資産タグの識別情報を対応づけて前記ホスト装置に送信し、前記ホスト装置のコマンド実行手段は、資産探索実行中の前記携帯型無線タグリーダからコマンドタグの識別情報及び対応する資産タグの識別情報を受信した場合に、前記受信した対応する資産タグの識別情報に基づいて、資産管理処理の対象となる前記資産管理テーブルの資産管理情報を特定することを特徴とする。
【００１２】
また好適には、前記コマンドテーブルには、前記資産管理テーブルに記憶する資産管理情報を更新する処理、前記資産管理テーブルに記憶する資産管理情報を前記携帯型無線タグリーダに送信する処理、探索対象資産に対して制御コマンドを送信する処理のうち、少なくともいずれかの資産管理処理の実行に必要な情報が記憶されていることを特徴とする。
【００１３】
また好適には、前記携帯型無線タグリーダは、前記ホスト装置から探索対象資産に関する資産管理情報を受信した場合に、該資産管理情報をユーザに提示する手段を備えることを特徴とする。この場合、前記出力する資産管理情報には、探索対象資産の設置場所情報、リース期間情報のうち少なくともいずれかが含まれることが望ましい。
【００１４】
本発明の資産管理方法は、ホスト装置と、該ホスト装置と通信ネットワークを介して通信可能に構成された携帯型無線タグリーダとを用いた資産管理方法であって、前記携帯型無線タグリーダが、前記ホスト装置から受信した、探索対象資産に付された資産管理用の無線タグ（資産タグ）の識別情報を、探索対象記憶手段に記憶する工程と、前記携帯型無線タグリーダが、探索モード中、無線タグから無線通信により読み取った識別情報が前記探索対象記憶手段に記憶する資産タグの識別情報であった場合に、前記無線通信の電波強度に基づいて探索対象資産の位置を推測する工程と、前記携帯型無線タグリーダが、コマンド入力モード中、無線タグから無線通信により読み取った識別情報がコマンド入力用の無線タグ（コマンドタグ）の識別情報であった場合に、前記読み取ったコマンドタグの識別情報を前記ホスト装置に送信する送信工程と、前記ホスト装置が、探索モード中の前記携帯型無線タグリーダからコマンドタグの識別情報を受信した場合に、資産タグの識別情報に対応づけて該資産タグが付された資産の管理情報を記憶する資産管理テーブルを参照し、前記資産管理テーブルに記憶される前記探索対象資産の資産管理情報を特定する工程と、前記ホスト装置が、コマンドタグの識別情報に対応づけて所定の資産管理処理の実行に必要な情報を記憶するコマンドテーブルを参照し、前記特定した資産管理情報に関連した前記受信したコマンドタグの識別情報に対応する資産管理処理を実行する工程と、を備えることを特徴とする。
【００１５】
本発明のプログラムは、本発明の資産管理方法の各工程をホスト装置及び携帯型無線タグリーダを含む資産管理システム上で実行させることを特徴とする。本発明のプログラムは、ＣＤ−ＲＯＭ、磁気ディスク、半導体メモリなどの各種の記録媒体を通じて、又は通信ネットワークを介してダウンロードすることにより、ホスト装置や携帯型無線タグリーダにインストールまたはロードすることができる。
【００１６】
なお、本明細書において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されても良い。
【発明の効果】
【００１７】
本発明によれば、無線タグを利用して資産管理を行う場合に、居室内での資産の移動にも対応でき、更に、現場にて資産情報の更新作業を簡易かつタイムリーに実施できる新しい枠組みを提供することができる。
【発明を実施するための最良の形態】
【００１８】
（第１実施形態）
以下に本発明の実施形態について図面を用いて説明する。
【００１９】
図１は、本発明の実施形態である資産管理システムの概略構成を表わす図である。図１に示すように、資産管理システム１は、ホスト装置として機能する管理サーバ１０、携帯可能なサイズ、重量の無線タグリーダ２０を含んでおり、管理サーバ１０と携帯型無線タグリーダ２０とは、通信ネットワークＮ１を介して互いに通信可能に構成されている。通信ネットワークＮ１は、ＬＡＮ、インターネット、専用線、パケット通信網、それらの組み合わせ等のいずれであってもよく、有線、無線の両方を含むが、携帯型無線タグリーダ２０とは無線ＬＡＮアクセスポイントを介して接続されることが望ましい。なお、図１では、携帯型無線タグリーダ２０を１つしか示していないが、設計に応じて複数設けることが可能である。
【００２０】
資産管理システム１では、管理対象となる資産（例えば、パソコンやプリンタ等のＯＡ機器など）３０に、携帯型無線タグリーダ２０により読み取り可能な資産管理用無線タグ（資産タグ）４０をシール等により付しておき、１）携帯型無線タグリーダ２０によって資産タグ４０のタグ情報を読み取ることで、資産３０の所在を把握する、２）携帯型無線タグリーダ２０によってコマンド入力用の無線タグ（以下、「コマンドタグ」という）５０のタグ情報を読み取ることで、所在を把握した資産３０について資産管理処理を実行するという枠組みを採用する。
【００２１】
資産タグ４０、コマンドタグ５０は、内部のメモリにタグ自身の識別情報を記憶しており、携帯型無線タグリーダ２０から送信される信号の電力が所定値以上となる場合に、その信号により電力が供給されて起動し、メモリに記憶された自身の識別情報を含んだタグ情報を送信するように構成されている。資産タグ４０、コマンドタグ５０として、従来の無線タグを用いることができるが、コマンドタグ５０は、使用する際の取り扱いやすさを考慮すると、例えばカード等の形態を取ることが望ましい。
【００２２】
図２（ａ）は、管理サーバ１０のハードウェア構成を示すブロック図である。図２（ａ）に示すように、管理サーバ１０は、ＣＰＵ、ＲＯＭ、ＲＡＭ、ＨＤＤ、ユーザインタフェース、ディスプレイ、通信インタフェース等のハードウェアを備える汎用のコンピュータにより構成することができる。
【００２３】
図２（ｂ）は、管理サーバ１０の機能構成を示すブロック図である。図２（ｂ）に示すように、管理サーバ１０は、資産管理テーブル１１、コマンドテーブル１２、タグリーダ対応テーブル１３、通信手段１４、制御手段１５等の機能手段を含んでいる。ただし、各テーブルは、管理サーバ１０によって直接又は間接にアクセスできるように構成されていればよく、図では管理サーバ１０の一部として構成しているが、他の情報処理装置（データベースサーバなど）の制御下にあってもよい。
【００２４】
資産管理テーブル１１は、資産タグ４０の識別情報に対応づけて、資産タグ４０が付された資産３０の資産管理情報を記憶している（図３（ａ）参照）。
【００２５】
資産管理情報は、例えば、資産名、管理番号、機種名、設置関連情報（現在設置位置、移送先位置、移動履歴、設置開始年月日など）、リース関連情報（リース／レンタル／買取の種別情報、リース期間情報など）、管理ステータス（維持／修理／廃棄など）等の情報を含むことができる。
【００２６】
なお、資産管理テーブル１１へのデータ登録は、例えば資産にバーコード等の態様で予め管理番号を付しておき、資産ごとにバーコードリーダ等で管理番号を読み取り、無線タグリーダで該資産に付した資産タグ４０の識別情報を読み取って、両者を対応づけて登録するなど、従来と同様にして行うことができる。
【００２７】
コマンドテーブル１２は、コマンドタグ５０の識別情報に対応づけて、所定の資産管理処理の実行に必要な情報（呼び出し情報）を記憶している（図３（ｂ）参照）。
【００２８】
資産管理処理としては、例えば、資産管理テーブル１１に記憶する資産管理情報を更新する処理、資産管理テーブル１１に記憶する資産管理情報を携帯型無線タグリーダ２０に送信する処理、探索対象資産３０に対して制御コマンドを送信する処理などを考えることができる。また、資産管理処理の実行に必要な情報としては、例えば、資産管理処理を実行するプログラム（関数、サブルーチン）名などを考えることができる。
【００２９】
このようにコマンドテーブル１２を別途に設けて、これを参照して各資産管理処理を実行する構成とすることで、資産管理処理の追加や変更等が容易となる。ただし、メインプログラム中にコマンドテーブルを内包する（各資産管理処理をいわゆる作りこみで取り入れる）構成としてもよい。
【００３０】
タグリーダ対応テーブル１３は、探索対象の資産３０の資産タグの識別情報に対応づけて、該探索対象資産３０の探索に使用する携帯型無線タグリーダ２０の識別情報を記憶している（図３（ｃ）参照）。携帯型無線タグリーダ２０の識別情報としては、例えばリーダ２０の管理番号などを用いることができる。
【００３１】
なお、これら各テーブルにおけるデータ管理には、例えばリレーショナルデーターベース等の従来のデータベース技術を用いることができる。
【００３２】
通信手段１４は、通信ネットワークＮ１を介して携帯型無線タグリーダ２０や、他の情報処理装置（例えば資産３０に相当するパソコンなど）に対して情報を入出力可能に構成されており、例えばＰＰＰドライバ、ＴＣＰ／ＩＰドライバ等の通信モジュールを備えている。
【００３３】
制御手段１５は、管理サーバ１０全体の動作を制御するとともに、探索モード中の携帯型無線タグリーダ２０からコマンドタグ５０の識別情報を受信した場合に、資産管理テーブル１１に記憶される資産３０の資産管理情報に対し、コマンドテーブル１２を参照して前記受信したコマンドタグ５０の識別情報に対応する資産管理処理を実行する（コマンド実行機能）。かかるコマンド実行機能は、管理サーバ１０上で、本発明の資産管理方法の工程の一部を規定したプログラムを起動することにより実現することができる。図２（ｂ）は、かかるコマンド実行機能を機能手段としてとらえて図示している。
【００３４】
なお、制御手段１５は、上記処理以外にも、例えば資産管理テーブル１１、コマンドタグテーブル１２へのデータ登録処理など、種々の処理を実行する。
【００３５】
携帯型無線タグリーダ２０は、ＣＰＵ、ＲＡＭ、ＲＯＭ、アンテナ、通信インタフェース、ディスプレイといった通常の無線タグリーダと同様のハードウェアを備えている。また機能としても、資産タグ４０やコマンドタグ５０のタグ情報の読み取り機能、管理サーバ１０との無線通信機能、各種情報をディスプレイに表示する機能など、通常の無線タグリーダと同様の機能を備えている。
【００３６】
ただし、本実施形態の携帯型無線タグリーダ２０は、機能手段として、探索対象の資産３０に付された資産タグ４０の識別情報を記憶する探索対象記憶手段２１と、コマンドとして入力可能なコマンドタグ５０の識別情報を記憶するコマンド記憶手段２２と、探索モード中、無線タグから無線通信により読み取った識別情報が探索対象記憶手段２１に記憶する資産タグ４０の識別情報であった場合に、前記無線通信の電波強度に基づいて資産３０の位置を推測する資産位置推測手段２３と、コマンド入力モード中、無線タグから無線通信により読み取った識別情報がコマンドタグ５０の識別情報であった場合に、前記読み取ったコマンドタグ５０の識別情報を管理サーバ１０に送信するコマンド送信手段２４とを備えている点で、従来の無線タグリーダとは異なっている（図４参照）。これらの各機能手段は、ＣＰＵが、ＲＯＭ、ＲＡＭなどに記憶された所定のプログラム（本発明の方法を規定したプログラム等）を実行することにより、実現される。
【００３７】
以下、図５に示すフローチャートに基づいて、資産管理システム１において実現される資産管理の枠組み、具体的には、１）携帯型無線タグリーダ２０によって資産タグ４０のタグ情報を読み取ることで、資産３０の所在を把握する、２）携帯型無線タグリーダ２０によってコマンドタグ５０のタグ情報を読み取ることで、所在を把握した資産３０について資産管理処理を実行するという枠組みについて説明する。なお、各工程（符号が付与されていない部分的な工程を含む）は処理内容に矛盾を生じない範囲で、任意に順番を変更して又は並列に実行することができる。
【００３８】
最初に、管理サーバ１０は、例えばユーザに資産管理テーブル１１を提示して、ユーザから、探索対象とする資産３０（以下、「探索資産３０Ａ」という）の指定、探索資産３０Ａの探索に使用する携帯型無線タグリーダ２０（以下、「探索タグリーダ２０Ａ」という）の指定を受け付ける（Ｓ１００）。ユーザは、例えばリース期間が切れている資産を探索したい場合、資産管理テーブル１１等に基づいて該当する資産を探索対象資産３０として指定する。
【００３９】
次に、管理サーバ１０は、探索資産３０Ａに付された資産タグ４０（以下、「探索資産タグ４０Ａ」という）の識別情報と、探索タグリーダ２０Ａの識別情報とを対応づけて、タグリーダ対応テーブル１３に登録する（Ｓ１０１）。
【００４０】
次に、管理サーバ１０は、探索資産タグ４０Ａの識別情報を、探索タグリーダ２０Ａに送信する（Ｓ１０２）。
【００４１】
探索タグリーダ２０Ａは、探索資産タグ４０Ａの識別情報を受信すると、探索対象記憶手段２１に記憶し、探索資産３０Ａを探索するモード（探索モード）に移行する（Ｓ１０３）。
【００４２】
ここで、探索モードは、探索タグリーダ２０Ａが探索資産３０Ａを探索するために使用されている状態を指し、必ずしも探索タグリーダ２０Ａに設定できる動作モードである必要はない。ただし、そのように設定できる場合には、探索タグリーダ２０Ａのディスプレイに探索モードに移行したことを表示するように構成することが望ましい。なお、探索タグリーダ２０Ａに所定のコマンドタグ５０を読み取らせることで探索モードに移行するように構成してもよい。
【００４３】
探索モードに移行後、ユーザは、探索タグリーダ２０Ａ及び必要なコマンドタグ５０を携帯して、探索資産３０Ａが設置されていると考えられるエリア内を移動し、探索資産３０Ａの探索を開始する。なお、コマンドタグ５０は、探索タグリーダ２０Ａに対して意図しないコマンド入力が行われないように、電波を遮断する封筒等に入れて携帯することが望ましい。
【００４４】
探索中のユーザの移動に伴って移動する探索タグリーダ２０Ａは、探索モード中、無線タグから無線通信によりタグ情報を受信すると（Ｓ１０４：Ｙｅｓ）、探索対象記憶手段２１を参照し、前記受信したタグ情報に含まれる識別情報が探索資産タグ４０Ａの識別情報であるか否かを判断する（Ｓ１０５）。
【００４５】
探索資産タグ４０Ａの識別情報でない場合、探索タグリーダ２０Ａは、Ｓ１０３に再帰して探索モードを継続する。
【００４６】
一方、前記受信したタグ情報に含まれる識別情報が探索資産タグ４０Ａの識別情報である場合、探索タグリーダ２０Ａは、探索資産タグ４０Ａとの無線通信の電波強度に基づいて探索資産３０Ａの位置を推測し、その結果をディスプレイに表示する（Ｓ１０６）。
【００４７】
推測方法としては、例えば次のような方法が考えられる。探索資産タグ４０Ａとの無線通信の電波強度を距離に変換して、該無線通信を行った探索タグリーダ２０Ａの位置を中心に前記距離の円領域を設定する。複数箇所において探索資産タグ４０Ａからの無線通信を受信できたならば、複数の前記円領域を設定することができ、探索資産３０Ａは、それら複数の前記円領域の重複領域に存在すると推測することができる。なお、探索タグリーダ２０Ａの位置は、例えば、固定位置に基準となる無線タグを複数設定しておき、これら複数の基準無線タグとの無線通信の電波強度に基づいて上記同様に円領域を設定して特定することができる。
【００４８】
なお、推測結果として、探索資産タグ４０Ａとの無線通信の電波強度に基づいて、探索資産３０Ａとの距離を表示する（例えば、「遠」、「中」、「近」といった段階で表示する）ように構成してもよい。
【００４９】
探索タグリーダ２０Ａは、探索資産タグ４０Ａとの無線通信の電波強度が一定値を下回る場合（Ｓ１０７：Ｎｏ）、Ｓ１０３に再帰して探索モードを継続する。
【００５０】
一方、探索資産タグ４０Ａとの無線通信の電波強度が一定値以上であった場合（Ｓ１０７：Ｙｅｓ）、ユーザが探索資産３０Ａを発見できたと判断し、コマンド入力モードに移行して、コマンド入力を待機する（Ｓ１０８）。なお、コマンド入力モードに移行したことをディスプレイに表示するように構成してもよい。また、探索タグリーダ２０Ａに所定のコマンドタグを読み取らせることでコマンド入力モードに移行するように構成してもよい。
【００５１】
コマンド入力モードでは、ユーザは、所望のコマンドタグ５０を探索タグリーダ２０Ａに読み取らせることで、探索タグリーダ２０Ａにコマンド入力を行うことができる。
【００５２】
探索タグリーダ２０Ａは、コマンド入力モード中、無線タグから無線通信によりタグ情報を受信すると（Ｓ１０９：Ｙｅｓ）、コマンド記憶手段２２を参照し、前記受信したタグ情報に含まれる識別情報がコマンドタグ５０の識別情報であるか否かを判断する（Ｓ１１０）。
【００５３】
コマンドタグ５０の識別情報でない場合、探索タグリーダ２０Ａは、Ｓ１０８に再帰してコマンド入力モードを継続する。なお、探索資産タグ４０との無線通信の電波強度が一定値を下回った場合、Ｓ１０３に再帰して探索モードに移行するように構成してもよい。
【００５４】
一方、前記受信したタグ情報に含まれる識別情報がコマンドタグ５０の識別情報である場合、探索タグリーダ２０Ａは、前記受信したタグ情報に含まれる識別情報、すなわちユーザがコマンド入力として読み取らせたコマンドタグ５０の識別情報を、管理サーバ１０に送信する（Ｓ１１１）。
【００５５】
なお、必ずしもこのタイミングで送信しなくてもよく、例えば、探索タグリーダ２０Ａに所定のコマンドタグを読み取らせることで送信処理を実行するように構成してもよい。
【００５６】
管理サーバ１０は、探索タグリーダ２０Ａからコマンドタグ５０の識別情報を受信すると、タグリーダ対応テーブル１３を参照して、探索タグリーダ２０Ａ（前記受信したコマンドタグ５０の識別情報を送信した携帯型無線タグリーダ）に対応する探索資産タグ４０Ａの識別情報を抽出する（Ｓ１１２）。
【００５７】
次に、管理サーバ１０は、資産管理テーブル１１を参照して、前記抽出した探索資産タグ４０Ａの識別情報に対応する資産管理情報を抽出し、資産管理処理の対象として特定する（Ｓ１１３）。
【００５８】
次に、管理サーバ１０は、コマンドテーブル１２を参照して、前記特定した資産管理情報に関連した前記受信したコマンドタグ５０の識別情報に対応する資産管理処理を実行し（Ｓ１１４）、Ｓ１０８に再帰する。
【００５９】
例えば、前記受信したコマンドタグ５０の識別情報が、管理ステータスを変更する処理に対応している場合、管理サーバ１０は、前記受信したコマンドタグ５０の識別情報に応じて前記特定した資産管理情報のうち管理ステータスを、維持、修理、又は廃棄等に変更し、資産管理テーブル１１を更新する。
【００６０】
また例えば、前記受信したコマンドタグ５０の識別情報が、探索資産３０Ａの設置関連情報又はリース関連情報を、探索タグリーダ２０Ａに送信する処理に対応している場合、管理サーバ１０は、前記特定した資産管理情報から設置関連情報又はリース関連情報を抽出し、探索タグリーダ２０Ａに送信する。探索タグリーダ２０Ａは、管理サーバ１０から設置関連情報又はリース関連情報を受信すると、これをディスプレイに表示するなどして、ユーザに提示する。
【００６１】
なお、資産管理処理は、資産管理情報を更新したり出力したりするものでなくもよい。例えば、前記受信したコマンドタグ５０の識別情報が、探索資産３０Ａに対して所定の制御コマンド（例えば、所定のアプリケーションのインストールやアンインストール、初期化など）を送信する処理に対応している場合、管理サーバ１０は、資産管理情報に関連する資産管理処理として、探索資産３０Ａに対して通信ネットワークＮ２を介して前記所定の制御コマンドを送信する。これにより、前記所定の制御コマンドを受信した探索資産３０Ａでは、制御コマンドに応じた処理が実行される。
【００６２】
このように本実施形態では、ユーザ自身が無線タグリーダを携帯して移動し、資産タグからの電波の強度に基づいて資産設置場所を探索する枠組みを採用しているため、出入り口などに無線タグリーダが固定設置されている場合では把握が難しいような居室内の資産の移動についても、その所在を把握することが可能である。
【００６３】
また、資産探索に用いた無線タグリーダにコマンドタグを読み取らせることによって、発見した資産に関する資産管理処理の実行コマンドを入力する構成を採用しているため、資産設置場所までパソコン等を運搬せずとも、無線タグリーダを用いて、現場にて簡易かつタイムリーに資産管理処理を行うことができる。
【００６４】
また、無線タグリーダにコマンドタグを読み取らせることによってコマンド入力する構成であるため、無線タグリーダ自体に汎用の入力インタフェースを設ける必要はない（又は、仮に設けてあったとしても、使用する必要はない）。更に、あらかじめユーザに携帯させるコマンドタグの種類を制限することで、現場にて入力できるコマンドを制限できるため、誤操作のリスクを大きく抑制することができる。
【００６５】
（その他）
本発明は、上記各実施の形態に限定されることなく種々に変形して適用することが可能である。
【００６６】
例えば、上記実施形態では、管理サーバ１０が、タグリーダ対応テーブル１３を参照して、探索タグリーダ２０Ａに対応する探索資産タグ４０Ａの識別情報を抽出し、該抽出した探索資産タグ４０Ａの識別情報に基づいて、資産管理処理の対象となる資産管理テーブル１１の資産管理情報を特定する構成としているが、本発明はこのような構成に限られるものではない。例えば、探索タグリーダ２０Ａが、無線タグから無線通信により読み取った識別情報がコマンドタグ５０の識別情報であった場合に、前記読み取ったコマンドタグ５０の識別情報及び探索対象記憶手段２１に記憶する探索資産タグ４０Ａの識別情報を対応づけて管理サーバ１０に送信し、管理サーバ１０では、探索タグリーダ２０Ａからコマンドタグ５０の識別情報及び対応する探索資産タグ４０Ａの識別情報を受信した場合に、前記受信した対応する探索資産タグ４０Ａの識別情報に基づいて、資産管理処理の対象となる資産管理テーブル１１の資産管理情報を特定する構成としてもよい。かかる構成の場合、タグリーダ対応テーブル１３は不要となる。
【００６７】
また例えば、コマンドテーブル１２について、コマンドタグ４０の識別情報と資産管理処理の実行情報とを１対１に対応づけて構成する必要は必ずしもなく、複数のコマンドタグ４０の識別情報の組み合わせに対して、特定の資産管理処理の実行情報を対応づける構成としてもよい。このように構成した場合、探索タグリーダ２０Ａに複数のコマンドタグ５０を任意又は所定の順序で読み取らせることでコマンド入力を行い、特定の資産管理処理を実行させることが可能となる。
【００６８】
また例えば、上記実施形態では、探索資産３０Ａを対象として説明したが、探索タグリーダ２０Ａに所定のコマンドタグを読み取らせることで、別の探索対象資産３０の探索モードに移行したり、探索モードやコマンド入力モードを終了するように構成してもよい。
【００６９】
また例えば、上記実施形態では、探索モードとコマンド入力モードとを別モードとして説明しているが、これら２つのモードを区別せずに処理を構成してもよい。
【００７０】
なお、本発明は、「資産」の管理以外にも適用することが可能である。１）無線タグを付した物を探索し、２）その探索した物に関して特定の処理を実行する、という状況であれば、本発明を適用することで上記実施形態と同様の効果を得ることができる。
【図面の簡単な説明】
【００７１】
【図１】本発明の実施形態である資産管理システム１の概略構成を表わす図である。
【図２】管理サーバ１０の構成を示すブロック図である。
【図３】資産管理テーブル、コマンドテーブル、タグリーダ対応テーブルを説明するための図である。
【図４】携帯型無線タグリーダ２０の機能構成を示すブロック図である。
【図５】資産管理システム１による資産管理処理を説明するためのフローチャートである。
【符号の説明】
【００７２】
１  資産管理システム
１０  管理サーバ
１１  資産管理テーブル
１２  コマンドテーブル
１３  タグリーダ対応テーブル
１４  通信手段
１５  制御手段
２０  携帯型無線タグリーダ
３０  資産
４０  資産タグ
５０  コマンドタグ
【図１】
2007219979.tif 000003
【図２】
2007219979.tif 000004
【図３】
2007219979.tif 000005
【図４】
2007219979.tif 000006
【図５】
2007219979.tif 000007